(57)【特許請求の範囲】
【請求項１】
モーアデッキの内部に互いに連通した複数の切断室を横方向に並列し、各切断室に縦軸心周りに回転駆動される回転ブレードを装備したモーアにおいて、
前記切断室の周壁に沿ってスライド移動して、隣接する切断室の連通部位に出退可能な刈草ガイド部材を、前記周壁の内側面に沿って装備してあり、
前記刈草ガイド部材を、隣接する切断室の連通部位を開放するサイドディスチャージ用位置と、隣接する切断室の連通部位を遮断して各切断室を独立させるマルチング用位置とに亘って移動可能に構成してあり、
前記マルチング用位置において、隣接する切断室のうち一方の切断室において、刈草ガイド部材が当該切断室に設けられた回転ブレードの回転軌跡に沿って延在して連通部位を遮断するとともに、
他方の切断室において、刈草ガイド部材が当該切断室に設けられた回転ブレードの回転軌跡に沿って延在し、当該刈草ガイド部材の端部が、前記連通部位を遮断する刈草ガイド部材の外周面に当接するように構成されていることを特徴とするモーア。
【請求項２】
排出口側の第１切断室と前記排出口とは反対側の第２切断室と前記第１切断室及び前記第２切断室に隣接するよう中央に設けられた第３切断室とを備え、
前記サイドディスチャージ用位置において、前記第１切断室の後方に位置する前記周壁に沿って第１刈草ガイド部材が装備され、前記第２切断室の後方に位置する前記周壁に沿って第２刈草ガイド部材が装備され、前記第３切断室の後方に位置する前記周壁に沿って第３刈草ガイド部材が装備され、前記第３切断室の前方に位置する前記周壁に沿って第４刈草ガイド部材及び第５刈草ガイド部材が装備され、
前記マルチング用位置において、
前記第３刈草ガイド部材及び前記第４刈草ガイド部材の端部同士を当接させることにより、前記第１切断室と前記第３切断室との連通部位において前記第３刈草ガイド部材及び前記第４刈草ガイド部材が前記第３切断室の回転ブレードの回転軌跡に沿って位置して、当該連通部位が遮断され、
前記第１刈草ガイド部材を前記第３刈草ガイド部材の外周部分に当接させることにより、前記第１刈草ガイド部材が前記第１切断室の回転ブレードの回転軌跡に沿って位置して、前記排出口が閉塞され、
前記第２刈草ガイド部材が前記第２切断室と前記第３切断室との連通部位において前記第２切断室の回転ブレードの回転軌跡に沿って位置して、当該連通部位が遮断され、
前記第５刈草ガイド部材が前記第３切断室の回転ブレードの回転軌跡に沿って位置するとともに、当該第５刈草ガイド部材の端部が前記第２刈草ガイド部材の外周部分に当接するように構成されている請求項１記載のモーア。
【発明の詳細な説明】
【技術分野】
【０００１】
本発明は、主として草刈り用に利用されるモーアに関する。
【背景技術】
【０００２】
草刈り用のモーアとしては、天井面が扁平に形成されたフラットデッキ型のモーアデッキの内部に、縦軸心周りに回転駆動される複数の回転ブレードを並列配備するとともに、モーアデッキの内方前部に、回転ブレードの先端回動軌跡に沿った形状の前部バッフルプレートを設けたものが知られている（例えば、特許文献１参照）。
【特許文献１】特開２００４−４１０６０号公報
【発明の開示】
【発明が解決しようとする課題】
【０００３】
草刈り作業形態をサイドディスチャージ形態とマルチング形態とに使い分けるモーアには、モーアデッキの内部形態を切換える必要があり、従来においては、マルチング形態では、細断用バッフルプレートを取り付けることで各回転ブレードの切断室を独立させ、サイドディスチャージ形態では、細断用バッフルプレートを取り外すことで各回転ブレードの切断室を連通するようにしていた。これにより、草刈り作業形態の切換え作業が大掛かりになり、切換え作業に多大な手数と時間を必要とするものであった。
作業現場で草刈り作業形態を切換えるような場合には、細断用バッフルプレートを作業現場に携帯する必要があり、これの運搬や保管にも手数を要することになる。
【０００４】
本発明は、このような点に着目してなされたものであって、作業現場においても簡単に草刈り作業形態を変更することができるようにすることを目的としている。
【課題を解決するための手段】
【０００５】
第１の発明は、モーアデッキの内部に互いに連通した複数の切断室を横方向に並列し、各切断室に縦軸心周りに回転駆動される回転ブレードを装備したモーアにおいて、
前記切断室の周壁に沿ってスライド移動して、隣接する切断室の連通部位に出退可能な刈草ガイド部材を、前記周壁の内側面に沿って装備してあり、
前記刈草ガイド部材を、隣接する切断室の連通部位を開放するサイドディスチャージ用位置と、隣接する切断室の連通部位を遮断して各切断室を独立させるマルチング用位置とに亘って移動可能に構成してあり、
前記マルチング用位置において、隣接する切断室のうち一方の切断室において、刈草ガイド部材が当該切断室に設けられた回転ブレードの回転軌跡に沿って延在して連通部位を遮断するとともに、
他方の切断室において、刈草ガイド部材が当該切断室に設けられた回転ブレードの回転軌跡に沿って延在し、当該刈草ガイド部材の端部が、前記連通部位を遮断する刈草ガイド部材の外周面に当接するように構成されていることを特徴とする。
【０００６】
上記構成によると、刈草ガイド部材をスライド調節して隣接する切断室の連通部位における開度を変更することで、切断室間での刈草の流動具合を変えて草刈り作業形態を調整することができる。この刈草ガイド部材はモーアデッキに常備されているので、いかなる場所および時期においても草刈り作業形態の調整を行うことができる。刈草ガイド部材の固定をボルト締めによって行うよう構成すると、作業現場にボルト操作用の工具を携帯するだけですむ。
従って、第１の発明によると、作業現場において簡単迅速に草刈り作業形態を調整して、所望の草刈り作業を行うことができる。
【０００７】
第２の発明は、上記第１の発明において、
排出口側の第１切断室と前記排出口とは反対側の第２切断室と前記第１切断室及び前記第２切断室に隣接するよう中央に設けられた第３切断室とを備え、
前記サイドディスチャージ用位置において、前記第１切断室の後方に位置する前記周壁に沿って第１刈草ガイド部材が装備され、前記第２切断室の後方に位置する前記周壁に沿って第２刈草ガイド部材が装備され、前記第３切断室の後方に位置する前記周壁に沿って第３刈草ガイド部材が装備され、前記第３切断室の前方に位置する前記周壁に沿って第４刈草ガイド部材及び第５刈草ガイド部材が装備され、
前記マルチング用位置において、
前記第３刈草ガイド部材及び前記第４刈草ガイド部材の端部同士を当接させることにより、前記第１切断室と前記第３切断室との連通部位において前記第３刈草ガイド部材及び前記第４刈草ガイド部材が前記第３切断室の回転ブレードの回転軌跡に沿って位置して、当該連通部位が遮断され、
前記第１刈草ガイド部材を前記第３刈草ガイド部材の外周部分に当接させることにより、前記第１刈草ガイド部材が前記第１切断室の回転ブレードの回転軌跡に沿って位置して、前記排出口が閉塞され、
前記第２刈草ガイド部材が前記第２切断室と前記第３切断室との連通部位において前記第２切断室の回転ブレードの回転軌跡に沿って位置して、当該連通部位が遮断され、
前記第５刈草ガイド部材が前記第３切断室の回転ブレードの回転軌跡に沿って位置するとともに、当該第５刈草ガイド部材の端部が前記第２刈草ガイド部材の外周部分に当接するように構成されているものである。
【０００８】
上記構成によると、サイドディスチャージ形態での草刈り作業形態と、マルチング形態での草刈り作業形態を簡単容易に切換えることができる。
【発明を実施するための最良の形態】
【０００９】
図１に、本発明に係るモーアＭを装着した乗用型芝刈り機の全体側面が、また、図２にその平面がそれぞれ示されている。この乗用型芝刈り機は、キャスタ輪に構成された左右一対の前輪１と左右一対の駆動後輪２を備えた走行機体３における前後輪間の下方に、モーアＭが四連リンク構造のリンク機構４を介して吊り下げ支持された構造となっており、リンク機構４を油圧シリンダ５によって昇降操作することで、モーアＭを略平行に昇降できるよう構成されている。走行機体３の後部にエンジン６が搭載され、その前部に運転座席７および門形の転倒保護フレーム（ＲＯＰＳ）８が配備されている。
【００１０】
前記モーアＭは、刈草を右端から排出するサイドディスチャージ形態と、刈草を刈幅内で細断してモーアＭの通過跡に放置してゆくマルチング形態を選択することができるよう構成されている。図９および図１０に示すように、サイドディスチャージ形態において、モーアＭの右端に排出した刈草を排出ブロワ３５によって機体後方に強制搬送し、前記回収バック３７に投入するようになっている。
【００１１】
詳細な構造の説明は省略するが、前記エンジン５の出力はカウンターケース９に入力されて走行系と作業系とに分岐され、走行系の動力はカウンターケース９の左右両側に配備された図示されない左右一対の油圧式の無段変速装置（ＨＳＴ）に入力され、その変速出力が減速ケース１０を介して左右の後輪２に各別に伝達されるようになっている。左右の後輪２を駆動する無段変速装置は、運転座席７の左右両脇に前後揺動操作可能に配備された左右一対の走行レバー１１を各別に揺動操作することで、左右の後輪２をそれぞれ独立して無段階に前後進変速するよう構成されており、左右の走行レバー１１の操作具合によって直進前後進、ピボットターン、および、スピンターンを任意に行うことができるようになっている。前記カウンターケース９で分岐された作業系の動力は、カウンターケース９の前面下部に突設されたＰＴＯ軸１２から前方に向けて出力されて、モーアＭに軸伝達されるようになっている。
【００１２】
図３および図４に示すように、モーアＭは、下向きに開放されたモーアデッキ１５の内部に、縦軸心周りに回転駆動される３枚の回転ブレード１６Ｌ，１６Ｃ，１６Ｒが、中央の回転ブレード１６Ｃが少し前方に偏位するよう平面視で三角配置されて軸支された構造となっており、走行機体３が直進移動した際に、隣接する回転ブレード１６Ｌ，１６Ｃ，１６Ｒの先端回動軌跡の左右端が前後に重複されて、刈残しの無い草刈りが行えるようになっている。
【００１３】
前記モーアデッキ１５は、天板高さが全体的に同高さに設定されたフラットデッキに構成されるとともに、モーアデッキ１５の右端には排出口ｄが形成されている。モーアデッキ１５の内部前側には、回転ブレード１６Ｌ，１６Ｃ，１６Ｒにおける先端回動軌跡の前側部分に沿った波形に屈曲形成された前部バッフルプレート１８と、前記先端回動軌跡の後側部分に沿った波形に屈曲形成された後部バッフルプレート１９とが垂設配備され、回転ブレード１６Ｌ，１６Ｃ，１６Ｒの切断室が互いに連通した左右に長い一連の切断空間が、モーアデッキ１５内に形成されている。
【００１４】
図３に示すように、前記ＰＴＯ軸１２から取り出された作業系の動力は、モーアデッキ１５の中央上面に配備されたベベルギヤケース２１に屈曲および伸縮自在な軸伝動機構２２を介して伝達され、ベベルギヤケース２１で縦軸回転に変換された回転動力が中央の回転ブレード１６Ｃの回転軸２３Ｃに伝達される。中央の回転ブレード１６Ｃの回転軸２３Ｃと左右の回転ブレード１６Ｌ，１６Ｒの回転軸２３Ｌ，２３Ｒとがベルト２４によって巻き掛け連動され、回転ブレード１６Ｌ，１６Ｃ，１６Ｒにおける先端回転軌跡の前半部が排出口ｄ側に向かうように、回転ブレード１６，１７，１８が同じ方向（上面視で時計回り方向）に等速で回転駆動されるようになっている。なお、モーアデッキ１５の周囲に
は障害物乗り越え用の遊転輪（アンチスキャルプローラ）２５が配備されており、上方への移動融通をもってリンク機構４に吊り下げ支持されたモーアＭに地上の斜面や隆起部などに接近すると、遊転輪２５のいずれかが隆起部などに乗り上がることでモーアＭが相対的に持ち上げられて、モーアデッキ１５が地面に接触して地面を削ることが回避されるようになっている。
【００１５】
上記モーアＭにおいては、以下の構造によって草刈り作業形態の変更調整が行えるようになっている。図４〜図６に示すように、切断室前方の周壁を形成する前部バッフルプレート１８の左右中間部位には、切断室周壁に沿って周方向にスライド移動して、左の回転ブレード１６Ｌの切断室と中央の回転ブレード１６Ｃの切断室との連通部位に、出退可能な部分円弧状の刈草ガイド部材３１が装備されている。切断室後方の周壁を形成する後部バッフルプレート１９には、切断室周壁に沿って周方向にスライド移動して、左の回転ブレード１６Ｌの切断室と中央の回転ブレード１６Ｃの切断室との連通部位に、出退可能な部分円弧状の刈草ガイド部材３１が装備され、中央回転ブレード１６Ｃの切断室と右の回転ブレード１６Ｒの切断室との連通部位に、出退可能な部分円弧状の刈草ガイド部材３１が装備され、切断室周壁に沿って周方向にスライド移動して前記排出口ｄに出退可能な部分円弧状の刈草ガイド部材３１が装備されている。
【００１６】
図５および図７に示すように、前部バッフルプレート１８における内周面のうち、左の回転ブレード１６Ｌの切断室における前方周壁、および、右の回転ブレード１６Ｒの切断室における前方周壁を形成する箇所には、シート状あるいはプレート状のゴム材や樹脂材などの付着防止部材３２が貼り付けられ、土や刈草が付着し難いよう、あるいは、付着しても剥がれ落ちやすいように構成されている。
【００１７】
本発明に係るモーアＭは以上のように構成されており、モーアデッキ１５の内部形態を変更することで、刈取った刈草をデッキ右端の排出口ｄから排出するサイドディスチャージ形態あるいは、刈草を繰り返し細断した上でモーアＭの通過跡に放置してゆくマルチング形態での草刈り作業形態を選択することが可能となっている。
【００１８】
［サイドディスチャージ形態］
図４に、サイドディスチャージ形態が示されている。この形態では、前部バッフルプレート１８、および、後部バッフルプレート１９に備えた刈草ガイド部材３１をそれぞれスライド後退させて（サイドディスチャージ用位置に相当）、回転ブレード１６Ｌ，１６Ｃ，１６Ｒにおける切断室の連通部位を最大限に開放連通させるとともに、モーアデッキ１５の右端の排出口ｄを開放した状態にする。これによって、回転ブレード１６Ｌ，１６Ｃ，１６Ｒで刈り取られた刈草は、切断室の前方周壁を形成する前部バッフルプレート１８に沿って図４中の右方に向けて飛散搬送され、モーアデッキ１５の右端の排出口ｄから排出される。
【００１９】
［マルチング形態］
図５に、マルチング形態が示されている。この形態では、前部バッフルプレート１８、および、後部バッフルプレート１９に備えた刈草ガイド３１をそれぞれスライド進出させて、回転ブレード１６Ｌ，１６Ｃ，１６Ｒにおける各切断室の連通部位を閉塞するとともに、モーアデッキ１５の右端の排出口ｄを閉塞した状態にする（マルチング用位置に相当）。これによって、回転ブレード１６Ｌ，１６Ｃ，１６Ｒの独立した切断室において、刈草を持ち回り細断してモーアＭの通過跡に放置してゆく。
【００２０】
マルチング形態においては、各切断室における連通部位の開度を全開あるいは全閉するのみならず、草の状況によっては排出口ｄを閉塞する刈草ガイド部材３１を除く他の刈草ガイド部材３１のスライド量を適当に加減して、切断室間の連通部位の開度を任意に調節
して草刈り作業を行うこともできる。
【００２１】
〔別実施形態〕
本発明は、以下のような形態で実施することもできる。
（１）図８に示すように、モーアデッキ１５の後壁に外気導入用の開口３３を形成し、この開口３３をスライドシャッタ３４によって開閉および開度調節可能に構成して実施することもできる。これによると、例えば、草の密生度が高いような場合、開口３３の開度を大きくして外気の吸入量を増大することで、草の起立性能が高められて、均一な刈高さでの草刈が可能となる。草の密生度が高いような場合には、開口３３からの外気の吸入量が多いと、草が激しくなびいて刈高さが不均一になりやすいので、このような場合には、開口３３の開度を小さく、あるいは、開口３３を閉塞する。
【００２２】
（２）図９〜図１３にサイドディスチャージ形態で刈取った刈草を回収する場合が示されている。この場合、モーアデッキ１５の右端の排出口ｄから排出された刈草を排出ブロワ３５に供給し、排出ブロワ３５から排出される刈草をダクト３６を介して機体後方に風力搬送して回収バッグ３７に投入することになる。回収バッグ３７の上部には、ダクト３６の後端に接続された上部カバー３８が設けられるとともに、上部カバー３８の上部には搬送風を抜き出す集草網３９が配備され、上部カバー３８に吹き込まれた搬送風が集草網３９を通して上方に抜け、上部カバー３８の内部上方に形成された上部排風路h1と、上部カバー３８の後壁３８ａの内部に形成された後部風路h2を通って下方に排出される。上部カバー３８の後壁３８ａは、上部支点ｐ周りに上下揺動可能に支持されるとともに、前記集草網３９は左右の案内レール４０に前後スライド可能に差込み装着されて、ノブ付きボルト４１で締め付け固定されており、上部カバー３８を振り上げ開放してノブ付きボルト４１を緩めることで、集草網３９を後方に抜き出すことができるようになっている。
【００２３】
図１４〜図１６に示すように、刈草を回収バッグ３７に風力搬送する前記排出ブロワ３５は、樹脂成形されたケーシング４２に収容した縦軸型の回転羽根４３が右の回転ブレード１６Ｒにベルト連動連結されて駆動されるよう構成されている。前記ケーシング４２の左端部にはモーアデッキ１５の右端の排出口ｄに連通される接続口ｅが設けられている。この接続口ｅにはフランジ部４４が備えられており、排出口ｄが小さい小型のモーアデッキ１５に対しては、図１４〜図１６に示すように、フランジ部４４を残した状態で連通接続される。この場合、フランジ部４４の内側の空間に刈草が滞留しないように、案内板２９が取り付けられる。排出口ｄが大きい大型のモーアデッキ１５に対しては、図１７に示すように、フランジ部４４を排出口ｄの大きさに合わせて切り取って連通接続される。
【図面の簡単な説明】
【００２４】
【図１】乗用型芝刈り機の全体側面図
【図２】乗用型芝刈り機の全体平面図
【図３】モーアの平面図
【図４】サイドディスチャージ形態に構成したモーアの横断平面図
【図５】マルチング形態に構成したモーアの横断平面図
【図６】マルチング形態に構成したモーアの縦断側面図
【図７】モーアの前部バッフルプレートの縦断側面図
【図８】モーアデッキの中央部位を示す背面図
【図９】刈草回収形態に構成した乗用型芝刈り機の全体側面図
【図１０】刈草回収形態に構成した乗用型芝刈り機の全体平面図
【図１１】上部カバー及び回収バッグの縦断側面図
【図１２】上部カバーの集草網の平面図
【図１３】図１１におけるXII-XII断面図
【図１４】小型のモーアデッキの排出口及び排出ブロワの縦断側面図
【図１５】小型のモーアデッキの排出口及び排出ブロワの縦断背面図
【図１６】小型のモーアデッキの排出口及び排出ブロワの一部切欠き平面図
【図１７】大型のモーアデッキの排出口及び排出ブロワの縦断側面図
【符号の説明】
【００２５】
１５                  モーアデッキ
１６Ｌ                回転ブレード
１６Ｃ                回転ブレード
１６Ｒ                回転ブレード
３１                  刈草ガイド部材
【図１】
0005139835.tif 000002
【図２】
0005139835.tif 000003
【図３】
0005139835.tif 000004
【図４】
0005139835.tif 000005
【図５】
0005139835.tif 000006
【図６】
0005139835.tif 000007
【図７】
0005139835.tif 000008
【図８】
0005139835.tif 000009
【図９】
0005139835.tif 000010
【図１０】
0005139835.tif 000011
【図１１】
0005139835.tif 000012
【図１２】
0005139835.tif 000013
【図１３】
0005139835.tif 000014
【図１４】
0005139835.tif 000015
【図１５】
0005139835.tif 000016
【図１６】
0005139835.tif 000017
【図１７】
0005139835.tif 000018